(57)【要約】  【課題】  ダイナミックスピーカに関するものであり、コイルバネ端子の座屈を防止し、安全に使用できるダイナミックスピーカを提供するものである。  【解決手段】  振動板と、振動板に固定されたボイスコイルと振動板の外周縁部を支持するフレームと、フレームの外周部を取り囲む様に取り付けられた絶縁性部材によるガスケット部と、ボイスコイルから延出する１対のリード線とリード線と外部装置との導通を図るための一組の端子部と、を備えてなるスピーカにおいて、端子部はコイルバネにより構成され、ガスケット部にはコイルバネの座屈を防止する座屈防止部を有する。【選択図】    図１    
2005086760.tif 000002
【特許請求の範囲】
【請求項１】
振動板と、
前記振動板に固定されたボイスコイルと
前記振動板の外周縁部を支持するフレームと、
前記フレームの外周部を取り囲む様に取り付けられた絶縁性部材によるガスケット部と、
前記ボイスコイルから延出する１対のリード線と
前記リード線と外部装置との導通を図るための一組の端子部と、
を備えてなるスピーカにおいて、
前記端子部はコイルバネにより構成され、
前記ガスケット部には前記コイルバネの座屈を防止する座屈防止部を有することを特徴とするスピーカ。
【請求項２】
前記ガスケット部は、前記フレームの上面外周部を保護する上面保護部と、前記フレームの下面側に前記座屈防止部とを備えることを特徴とする請求項１記載のスピーカ。
【請求項３】
前記座屈防止部は、前記一組のコイルバネを取り囲むように設けられていることを特徴とする請求項１又は請求項２記載のスピーカ。
【発明の詳細な説明】
【技術分野】
【０００１】
本願発明は、いわゆるダイナミックスピーカに関するものであり、特に、そのガスケット構造に関するものである。
【背景技術】
【０００２】
スピーカの一形式として、従来よりダイナミックスピーカが知られている。このダイナミックスピーカのうち、携帯電話などの小型電子機器に使用されるものの場合、小型電子機器にスピーカをがたつき無く固定するために弾性を有するガスケットを用いている。また、このガスケットにより、小型電子機器内への音漏れも防止している。
【０００３】
また、小型電子機器に使用されるスピーカの場合、実装の際、その下面に小型電子機器内の電子基板に導通するための一組の端子が設けられている。
【０００４】
そして、この端子としては、ばね端子が多く用いられている。その中でも、導通の安定性に優れたコイルバネ端子が多く用いられている。
【特許文献１】特開平０９−２１９７４０号公報
【発明の開示】
【発明が解決しようとする課題】
【０００５】
しかしながら、上記従来のダイナミックスピーカにおいては、そのコイルバネ端子が小型電子機器に取り付ける際に座屈してしまい、一組のコイルバネ端子同士やあるいは他の導体と接触して、ショートしてしまう恐れがあった。
【０００６】
本願発明は係る実情に鑑み、コイルバネ端子の座屈を防止し、安全に使用できるダイナミックスピーカを提供するものである。
【課題を解決するための手段】
【０００７】
すなわち、本願発明に係るスピーカは、振動板と、前記振動板に固定されたボイスコイルと前記振動板の外周縁部を支持するフレームと、前記フレームの外周部を取り囲む様に取り付けられた絶縁性部材によるガスケット部と、前記ボイスコイルから延出する１対のリード線と前記リード線と外部装置との導通を図るための一組の端子部と、を備えてなるスピーカにおいて、前記端子部はコイルバネにより構成され、前記ガスケット部には前記コイルバネの座屈を防止する座屈防止部を有することを特徴とするものである。
また、前記ガスケット部は、前記フレームの上面外周部を保護する上面保護部と、前記フレームの下面側に前記座屈防止部とを備えることを特徴とするものである。
また、前記座屈防止部は、前記一組のコイルバネを取り囲むように設けられていることを特徴とするものである。
【発明の効果】
【０００８】
上記構成に示すように、本願発明に係るスピーカによれば、ガスケット部にコイルバネの座屈を防止する座屈防止部が備えられているため、コイルバネが座屈することなく、小型電子機器内等へ適用することが可能となる。コイルバネの巻き数が多く高さが高い場合には、特に有効である。 
また、ガスケット部に座屈防止部を設けているため、別部品で別途座屈防止部を設ける必要が無く、組み立て性を良くすることが可能である。
また、本願発明に係るスピーカによれば、ガスケット部は、フレームの上面外周部を保護する上面保護部と、フレームの下面側に座屈防止部を備えているため、スピーカを上面保護部と座屈防止部とにより上下から挟み込むことができ、ガスケット部がスピーカ本体から外れにくくすることが可能である。
さらに、本願発明に係るスピーカによれば、座屈防止部は、一組のコイルバネを取り囲むように設けられているため、コイルバネが座屈して他の導体に接触するのを防止できる上、スピーカ本体からのガスケット部の脱落を防止することが可能である。
なお、上記一組のコイルバネは、スピーカが２端子の場合は２つのコイルバネにより構成され、３端子の場合は３つのコイルバネにより構成される。
【発明を実施するための最良の形態】
【０００９】
以下、図面を用いて、本願発明の実施の形態について説明する。
【実施例】
【００１０】
図１は、本願発明の一実施形態に係るスピーカ１０のスピーカ本体１２とガスケット部１４とをそれぞれ下面側（コイルバネ４０側）より表す斜視図であり、図２は、そのスピーカ１０を上面側（カバー３０側）から表す分解斜視図である。また、図３は、本願発明の一実施形態に係るスピーカ１０を下面側から表す斜視図であり、図４は、そのスピーカ１０を上面側から表す斜視図であり、図５は、本願発明の一実施形態に係るスピーカ１０の断面図である。
【００１１】
これらの図をもとに、本願発明の一実施形態について説明する。まず図１に示すように、本実施形態に係るスピーカ１０は、ガスケット部１４内にスピーカ本体１２が収容されてなり、携帯電話機等に組み込まれた状態で使用されるようになっている。
【００１２】
次に図２及び図５に示すように、スピーカ本体１２は、外径が１０〜２０ｍｍ程度の動電型の電気音響変換器であって、ダイアフラム２２と、このダイアフラム２２の外周縁部を支持するフレーム２４と、前端部がダイアフラム２２に固定されたボイスコイル２６と、このボイスコイル２６の後端部を収容する筒状磁気間隙が形成された磁気回路ユニット２８と、ダイアフラム２２を上面側から覆うカバー３０とを備えてなっている。
【００１３】
フレーム２４は、リング状に形成されており、その内周側には、ダイアフラム２２を支持するダイアフラム支持部２４Ｃが形成されており、このダイアフラム支持部２４Ｃの内周側には、周方向複数箇所に複数の放音孔２４Ｂが形成されている。
【００１４】
また、フレーム２４の外周端部下面側には、ターミナル２４Ａが設けられており、ボイスコイル２６の端末３８が接続されている。またターミナル２４Ａにはコイルバネ４０が接続されており、端末３８とコイルバネ４０が導通されている。なお、端末３８とコイルバネ４０はターミナル２４Ａを電気的に介さずに直接接続するようにしても良い。
【００１５】
コイルバネ４０は、ばね線同士が隙間無く巻かれている座巻部４０Ａと、テーパ状に形成された接触部４０Ｂにより構成される。接触部４０Ｂは、携帯電話機等に組み込まれた際に、圧縮されて接触圧を発生するように、ばね状に巻かれている。なお、接触部４０Ｂは、テーパ状に形成しなくても端子として機能させることは可能である。
【００１６】
磁気回路ユニット２８は、鋼製のベース３２と、マグネット３４と、鋼製のヨーク３６とからなり、そのベース３２の外周部においてフレーム２４の内周端部に固定されている。この磁気回路ユニット２８のベース３２には、その周方向複数箇所に複数の放音孔３２ａが形成されている。
【００１７】
カバー３０は、その外周端部において、フレーム２４のダイアフラム支持部２４Ｃに固定されている。このカバー３０の中心部およびその周囲には複数の放音孔３０ａが形成されている。
【００１８】
次に図３、４及び図５に示すように、ガスケット部１４は、ゴム等の弾性を有する絶縁樹脂により略皿状に形成されており、座屈防止部１４Ａと側面保護部１４Ｂと上面保護部１４Ｃとからなっている。
【００１９】
座屈防止部１４Ａは、一組のコイルバネ４０をまとめて取り囲むように設けられており、座巻部４０Ａの高さとほぼ同様の高さに構成されている。特に、座屈防止部１４Ａは１組の座巻部４０Ａをまとめて取り囲むように瓢箪状の孔部を有している。また座屈防止部１４Ａは、側面保護部１４Ｂから内周に向けて、コイルバネ４０に対応する部分のみに部分的に形成されている。
【００２０】
側面保護部１４Ｂは略円筒形状に形成され、スピーカ本体１２の側面外周を内包できるように形成されている。
【００２１】
一方、上面保護部１４Ｃは、スピーカ本体１２の上面側外周を覆うように略リング状に形成されている。特にカバー３０の外周部を覆うようになっており、放音孔３０ａを塞がない範囲で、カバー３０表面の半径方向で約２０〜３０％程度で全周に渡り覆うように形成されている。
【００２２】
そして、スピーカ本体１２は、座屈防止部１４Ａと上面保護部１４Ｃとにより位置決めされるようにしてガスケット部１４に収容されている。
特にスピーカ本体１２を外周部が覆われていない座屈防止部１４Ａ側（下面側）からガスケット部１４に収容することにより、容易に挿入することができる。
【００２３】
また、上面側外周を覆うように形成されている上面保護部１４Ｃからはスピーカ本体１２が脱落することはなく、さらにコイルバネ４０に座屈防止部１４Ａを引っかけるようにして固定するために、確実にスピーカ本体１２をガスケット部１４内に固定することが可能となっている。
【００２４】
このように本実施形態によれば、ガスケット部１４にコイルバネ４０の座屈を防止する座屈防止部１４Ａが備えられているため、コイルバネ４０が座屈することなく、小型電子機器内等へ適用することが可能となる。本実施形態のようにコイルバネ４０の巻き数が多く座巻部４０Ａの高さが高い場合には、特に有効である。 
【００２５】
また、ガスケット部１４に座屈防止部１４Ａを設けているため、別部品で別途座屈防止部を設ける必要が無く、組み立て性を良くすることが可能である。
【００２６】
また、ガスケット部１４は、フレーム２４の上面外周部を保護する上面保護部１４Ｃと、フレーム２４の下面側に座屈防止部１４Ａを備えているため、スピーカ本体１２を上面保護部１４Ｃと座屈防止部１４Ａとにより上下から挟み込むことができ、ガスケット部１４がスピーカ本体１２から外れにくくすることが可能である。
【００２７】
さらに、座屈防止部１４Ａは、一組のコイルバネ４０を取り囲むように設けられているため、コイルバネ４０が座屈して他の導体に接触するのを防止できる上、スピーカ本体１２からのガスケット部１４の脱落を防止することが可能である。
【００２８】
なお、本実施形態においては、一組のコイルバネ４０を取り囲むように座屈防止部１４Ａを設けたが、これに限らずコイルバネ４０の１つずつを取り囲むように座屈防止部１４Ａを形成しても良い。このような構成の場合一組のコイルバネ４０をまとめて取り囲むものに比べ、ガスケット部１４のスピーカ本体１２への取付性は悪くなるが、コイルバネ４０同士の座屈を防止する効果はさらに向上する。 
【図面の簡単な説明】
【００２９】
【図１】本願発明の一実施形態に係るスピーカ１０のスピーカ本体１２とガスケット部１４とをそれぞれ下面側（コイルバネ４０側）より表す斜視図
【図２】上記スピーカを上面側（カバー３０側）から表す分解斜視図
【図３】上記スピーカを下面側から表す斜視図
【図４】上記スピーカを上面側から表す斜視図
【図５】上記スピーカの断面図
【符号の説明】
【００３０】
１０  スピーカ
１２  スピーカ本体
１４  ガスケット部
１４Ａ  座屈防止部
１４Ｂ  側面保護部
１４Ｃ  上面保護部
２２  ダイアフラム
２４  フレーム
２４Ａ  ターミナル
２４Ｂ  放音孔
２４Ｃ  ダイアフラム支持部
２６  ボイスコイル
２８  磁気回路ユニット
３０  カバー
３０ａ  放音孔
３２  ベース
３２ａ  放音孔
３４  マグネット
３６  ヨーク
３８  端末
４０  コイルバネ
４０Ａ  座巻部
４０Ｂ  接触部
【図１】
2005086760.tif 000003
【図２】
2005086760.tif 000004
【図３】
2005086760.tif 000005
【図４】
2005086760.tif 000006
【図５】
2005086760.tif 000007